(57)【要約】  レザーアッセンブリと、交換カートリッジ容器と、格納装置とを有するシェービング機器システムが提供される。格納装置は、本体部と、壁取付け機構と、レザーアッセンブリホルダと、交換カートリッジ容器ホルダとを有している。壁取付け機構、レザーアッセンブリホルダ及び交換カートリッジ容器ホルダは、本体部に取り付けられる。
2007527297.tif 000002
【特許請求の範囲】
【請求項１】
本体部を含むシェービング機器格納装置であって、
前記本体部をある表面に取り付ける手段、レザーアッセンブリを保持する手段及び交換カートリッジホルダを取り付ける手段によって特徴付けられ、
前記レザーアッセンブリを保持する手段は、前記本体部に取り付けられ、
前記交換カートリッジホルダを取り付ける手段は、前記本体部に取り付けられ、前記交換カートリッジホルダを上方側に傾けられたある角度で保持するために、水平基準面からある角度で上方側に傾けられた、対向配置されるパネルを有することを特徴とするシェービング機器格納装置。
【請求項２】
前記本体部を前記表面に取り付ける手段は、前記シェービング機器格納装置を選択的に壁に取り付けると共に再び取り付け可能としたことを特徴とする請求項１記載のシェービング機器格納装置。
【請求項３】
前記本体部を前記表面に取り付ける手段は、１つ又はそれ以上の第１の吸着カップを有することを特徴とする請求項２記載のシェービング機器格納装置。
【請求項４】
前記交換カートリッジホルダは、交換カートリッジ容器を連結する第２の吸着カップを有することを特徴とする請求項３記載のシェービング機器格納装置。
【請求項５】
前記１つ又はそれ以上の第１の吸着カップの１つは、前記第２の吸着カップに接続されることを特徴とする請求項４記載のシェービング機器格納装置。
【請求項６】
前記レザーアッセンブリを保持する手段は、前記レザーアッセンブリが液体を排出可能な位置に当該レザーアッセンブリを保持することを特徴とする請求項１記載のシェービング機器格納装置。
【請求項７】
前記レザーアッセンブリを保持する手段は、前記レザーアッセンブリのレザーカートリッジ要素が、当該レザーアッセンブリのハンドル要素の下方に垂直に配置される位置に当該レザーアッセンブリを保持することを特徴とする請求項６記載のシェービング機器格納装置。
【請求項８】
前記レザーアッセンブリを保持する手段は、前記本体部から外側に延在する柱を有することを特徴とする請求項６記載のシェービング機器格納装置。
【請求項９】
前記レザーアッセンブリを保持する手段は、更に前記柱から外側に延在する返しを有することを特徴とする請求項８記載のシェービング機器格納装置。
【請求項１０】
前記交換カートリッジホルダは、交換カートリッジ容器を選択的に前記シェービング機器格納装置に取り付けると共に再び取り付け可能としたことを特徴とする請求項１記載のシェービング機器格納装置。
【請求項１１】
前記交換カートリッジホルダは、コンテナ取付け機構を有することを特徴とする請求項１０記載のシェービング機器格納装置。
【請求項１２】
前記コンテナ取付け機構は、互いに離間して配置された第１及び第２のパネルと、前記第１及び第２のパネルの一方又は双方から外側に延在する１つ又はそれ以上のツメとを有することを特徴とする請求項１１記載のシェービング機器格納装置。
【請求項１３】
前記第１及び第２のパネルは、実質的に平行であって、水平面からある角度に傾けられていることを特徴とする請求項１２記載のシェービング機器格納装置。
【請求項１４】
前記コンテナ取付け機構は、更に前記交換カートリッジホルダを連結する第２の吸着カップを有することを特徴とする請求項１３記載のシェービング機器格納装置。
【請求項１５】
前記第２の吸着カップは、前記本体部を前記表面に取り付ける手段の吸着カップ部に接続されることを特徴とする請求項１４記載のシェービング機器格納装置。
【請求項１６】
前記コンテナ取付け機構は、前記交換カートリッジホルダを連結する第２の吸着カップを有することを特徴とする請求項１１記載のシェービング機器格納装置。
【請求項１７】
前記第２の吸着カップは、前記本体部を前記表面に取り付ける手段の吸着カップ部に接続されることを特徴とする請求項１６記載のシェービング機器格納装置。
【請求項１８】
レザーアッセンブリと、
交換カートリッジホルダと、
本体部、並びに、前記本体部をある表面に取り付ける手段、前記レザーアッセンブリを保持する手段及び交換カートリッジホルダを前記本体部に取り付ける手段によって特徴付けられる格納装置と、を具備するシェービング機器システムであって、
前記レザーアッセンブリを保持する手段は、前記本体部に取り付けられ、
前記交換カートリッジホルダを取り付ける手段は、前記本体部に取り付けられ、前記交換カートリッジホルダを上方側に傾けられたある角度で保持するために、水平参照面からある角度で上方側に傾けられた、対向配置されるパネルを有することを特徴とするシェービング機器システム。
【請求項１９】
前記レザーアッセンブリを保持する手段は、前記レザーアッセンブリが液体を排出可能な位置に当該レザーアッセンブリを保持することを特徴とする請求項１８記載のシェービング機器システム。
【請求項２０】
前記レザーアッセンブリは、シェービング補助体を覆うカバーを有し、前記カバーは、液体を排出させる１つ又はそれ以上のポートを有することを特徴とする請求項１９記載のシェービング機器システム。
【請求項２１】
前記レザーアッセンブリを保持する手段は、前記レザーアッセンブリのレザーカートリッジ要素が、当該レザーアッセンブリのハンドル要素の下方に垂直に配置される位置に当該レザーアッセンブリを保持することを特徴とする請求項１９記載のシェービング機器システム。
【請求項２２】
前記レザーアッセンブリは、カバー及び前記カバーを前記レザーアッセンブリのハンドルに取り付ける手段を有することを特徴とする請求項１８記載のシェービング機器システム。
【請求項２３】
前記カバーを前記ハンドルに取り付ける手段は、前記カバーを前記ハンドルに取り付けるために互いを連結する前記カバー及びハンドルのそれぞれに取り付けられる、少なくとも１つのリブを有することを特徴とする請求項２２記載のシェービング機器システム。
【請求項２４】
前記カバーは、弾性を有し、前記カバーを取り付ける手段は、前記カバーの対向する表面をほぼ互いに向けて圧迫することによって連結を解くことが可能であることを特徴とする請求項２３記載のシェービング機器システム。
【請求項２５】
前記レザーアッセンブリは、カバー及びハンドルを有し、前記カバー及びハンドルは、前記カバーと前記ハンドルとを専ら一方向に取付け可能とする態様で互いに連結する形状とされることを特徴とする請求項１８記載のシェービング機器システム。
【請求項２６】
前記ハンドルは、前記カバーと協働する不均整な形状とされたフランジを有することを特徴とする請求項２５記載のシェービング機器システム。
【請求項２７】
前記ハンドルは、前記カバーと協働する不均整に配置された１つ又はそれ以上の突出物を有し、前記ハンドルに対して前記カバーを専ら一方向に取付け可能とすることを特徴とする請求項２５記載のシェービング機器システム。
【請求項２８】
前記本体部を前記表面に取り付ける手段は、前記格納装置を選択的に壁に取り付けると共に再び取り付け可能としたことを特徴とする請求項１８記載のシェービング機器システム。
【請求項２９】
前記レザーアッセンブリを保持する手段は、前記本体部から外側に延在する柱と、前記柱に取り付けられる返しとを有し、前記柱は、前記レザーアッセンブリ内に配置された開口部内に受け入れられるサイズとされることを特徴とする請求項２８記載のシェービング機器システム。
【請求項３０】
前記交換カートリッジホルダは、交換カートリッジ容器を選択的に前記格納装置に取り付けると共に再び取り付け可能としたことを特徴とする請求項１８記載のシェービング機器システム。
【請求項３１】
前記交換カートリッジホルダは、前記交換カートリッジ容器を取り付ける手段を有することを特徴とする請求項３０記載のシェービング機器システム。
【請求項３２】
前記交換カートリッジ容器を取り付ける手段は、互いに離間して配置された第１及び第２のパネルと、前記第１及び第２のパネルの一方又は双方から外側に延在する１つ又はそれ以上のツメとを有することを特徴とする請求項３１記載のシェービング機器システム。
【請求項３３】
前記第１及び第２のパネルは、実質的に平行であって、水平面からある角度に傾けられていることを特徴とする請求項３２記載のシェービング機器システム。
【請求項３４】
前記レザーアッセンブリは、カバー及びハンドルを有し、前記カバーは、それを通して所定量の換気を可能とする少なくとも１つのポートを有することを特徴とする請求項１８記載のシェービング機器システム。
【発明の詳細な説明】
【技術分野】
【０００１】
本発明は、概してシェービング器具に関し、特に、シェービング器具を格納する装置に関する。
【背景技術】
【０００２】
近年のセーフティレザー（以下、レザーアッセンブリともいう）は、ハンドル上に枢動可能に、或いは、固定して取り付けられたカートリッジの内部に配置された複数のレザーブレードを有している。あるセーフティレザーは、再利用可能なハンドルと一緒に使用される使い捨て可能なカートリッジを有し、他のレザーアッセンブリは、組み合わされて一体的に使い捨て可能なハンドル及びカートリッジを有する。
【０００３】
レザーへの接触を容易にするレザーアッセンブリを格納する装置を提供することは望ましい。また、１つ又はそれ以上の交換カートリッジを格納する装置を提供することは望ましい。シャワー時にレザーアッセンブリ、並びに、１つ又はそれ以上の交換カートリッジの双方を格納可能な装置は、特に望ましい。
【発明の開示】
【０００４】
本発明に従えば、レザーアッセンブリと、交換カートリッジ容器と、格納装置とを有するシェービング機器システムが提供される。格納装置は、本体部と、本体部を表面に取り付ける手段と、本体部から延在する柱と、交換カートリッジ容器を本体部に取り付ける取付機構とを有している。柱は、柱からレザーアッセンブリを吊り下げ可能なサイズとされている。
【０００５】
本発明は、一般にシェービング時に使用される全てのアイテムを含む壁取付けユニットをユーザに提供する。本発明によっていくつかの利点が提供される。１つの利点は、本格納装置がレザーアッセンブリ及び交換カートリッジ容器を装置に確実に取り付け、それぞれが不注意に脱落するのを防止することである。他の利点は、交換カートリッジが容易に接触可能な態様で提供されることである。ユーザがレザーカートリッジを交換することを決めた場合に、交換カートリッジが直ちに利用可能となる。また、格納装置が交換カートリッジを容器内に格納することができるので、シャワー環境で使用されるまで交換カートリッジを保護することができる。他の利点は、格納装置が、集めた水が排出されるように、レザーアッセンブリを配置することである。
【０００６】
本発明のこれらの、並びに、他の目的、特徴、利点は、以下の本発明に係る詳細な説明に照らして明らかになる。
【発明を実施するための最良の形態】
【０００７】
今、図１〜図５を参照すると、本発明に係るシェービング機器システム１０は、レザーアッセンブリ１２と、交換カートリッジ１４と、交換カートリッジ容器１６と、以下において「キャディ」と呼ばれるシェービング機器格納器具１８とを有している。
【０００８】
レザーアッセンブリ１２は、ハンドル２２に取り付けられるレザーカートリッジ２０を有している。本シェービング機器システム１０の一部として含まれ得る、レザーアッセンブリ１２の具体例は、２００３年２月１４に提出された米国特許出願番号１０／３６７，２５５に記述されており、その内容はここに含まれる。簡潔にいうと、上述のレザーアッセンブリ１２は、レザーカートリッジ２０と、シェービング補助体２４と、ハンドル２２と、リンケージ（不図示）と、カバー２６とを有している。レザーカートリッジ２０は、フレームに取り付けられた１つ又はそれ以上のレザーブレードを有している。１つ又はそれ以上のレザーブレードのそれぞれは、長手方向に延在するカッティングエッジを備えている。ハンドル２２は、レザーカートリッジ２０及びシェービング補助体２４と反対側のハンドル２２の端部近傍において、ハンドル２２を通して幅方向に広がる開口部４８を有している。このようなハンドル２２内における開口部４８の位置により、レザーアッセンブリ１２を逆さまに保持することが可能となる。後述するように、機構５０は、開口部４８内に配置されている。また、ハンドル２２は、シェービング補助体２４の近傍に配置されたフランジ２３を有している。
【０００９】
シェービング補助体２４は、シェービング処理の質を向上するために１つ又はそれ以上のシェービング補助材料（すなわち、平滑剤、抵抗低減剤、脱毛剤、洗浄剤、薬剤等）から成る磨滅可能な固形体である。シェービング補助体２４は、レザーカートリッジ２０を受け入れるサイズとされた中央開口を有する楕円形状を有することが好ましい。他の実施形態において、シェービング補助体２４は、異なる形状としても良い。ハンドル２２は、内部キャビティを有する、人間工学に基づく本体を有することが好ましい。リンケージは、レザーカートリッジ２０及びシェービング補助体２４の双方に接続される、少なくとも１つの部材を有している。このリンケージにより、レザーカートリッジ２０と、シェービング補助体２４とを反対方向に移動させることができる。すなわち、一方が下方側に押された場合には、他方は上方側に移動する。この結果、シェービングされる表面に接触するシェービング補助体２４の接触面は、レザーカートリッジ２０のカッティングエッジと略同一平面上に維持される。
【００１０】
図４及び図５を参照すると、レザーアッセンブリカバー２６は、シェービング補助体２４及びレザーカートリッジ２０を取り囲むサイズとされている。カバー２６及びハンドルフランジ２３は、カバー２６を専ら一方向に取付け可能な態様で互いに結合する形状とされることが好ましい。例えば、フランジ２３は、不均整な形状とされるか、或いは、フランジ２３を不均整にする構成を有している。図４に示す実施の形態においては、１組の突出物２１がフランジ２３から外側に延在している。カバー２６をハンドル２２に取り付けるための手段２５により、ユーザは、選択的にカバー２６を取り付けるか、取り外すことができるように提供されている。図４に示すレザーアッセンブリカバー２６をハンドル２２に取り付けるための手段２５は、ハンドル２２に取り付けられた１組のリブ２９と連携するカバー２６に取り付けられた１組のリブ２７を有している。リブ２７、２９は、互いに連携してカバー２６をハンドル２２に挟む。図４及び図５に示す実施の形態において、リブ２７、２９は、それぞれカバー２６及びハンドル２２の長手方向に延在する表面３１に沿って配置されている。カバー２６は、弾性を有し、カバー２６の幅方向に延在する表面３３にかかる圧力（例えば、幅方向に延在する表面３３を互いに圧迫すること）により、リブ２７、２９の互いの連結を解き、これによってカバー２６をハンドル２２から取り外せるような形状とされている。カバーをハンドルに固定する他の配置を代わりに使用しても良い。例えば、リブは、カバー及びハンドルの幅方向に延在する表面上に載せても良い。この場合には、カバー２６は、長手方向に延在する表面にかかる圧力が、リブの連結を解き、カバー２６をハンドル２２から取り外せるような形状とされ得る。
【００１１】
また、カバー２６は、ハンドル２２がキャディ１８に吊り下げられた場合にカバー２６から液体を排出させる、少なくとも１つのポート２８を有している。すなわち、逆さまの状態で、換気量を制御することが可能となっている。また、図２及び図４に示すカバー２６は、例えば、ハンドル／レザーアッセンブリが横に置かれた場合に、カバー２６から排水を可能とする他のポート３０を有している。ポート２８、３０は、シェービング補助体２４及び他の構成要素がシェービングの間に乾燥する望ましい量を確保する、所定量の換気を可能とするサイズとされている。
【００１２】
図１〜図３を参照すると、交換カートリッジ１４は、上述したレザーカートリッジ２０及びシェービング補助体２４を有することが好ましい。ある実施の形態において、レザーカートリッジ２０及びシェービング補助体２４は、互いに独立している。また、他の実施の形態において、これらは単一の集合体として結合されている。２００３年２月１４日に提出された米国特許出願番号１０／３６７，１３３の内容は、ここに含まれ、この交換カートリッジ１４の具体例を開示している。
【００１３】
交換カートリッジ容器１６は、タブ３２と、選択的に取り外し可能な蓋３４とを有している。タブ３２は、交換カートリッジ１４、並びに、場合によっては交換カバー２６をも受け入れるための内部キャビティを有している。選択的に取り外し可能な蓋３４は、タブ３２に取り付けられ、内部キャビティを取り囲むと共に、タブ３２と一緒にシールを形成する。交換カートリッジ容器１６は、交換カートリッジ容器１６内に交換カートリッジ１４及び／又はカバー２６を配置すると共に固定する構成を有することが好ましい。この構成は、交換カートリッジ１４をタブ３２内における望ましい位置に維持することにより、交換カートリッジ１４をレザーアッセンブリハンドル２２に取り付けるのを容易にする。利用可能な交換カートリッジ容器１６の具体例は、２００３年５月７日に提出された米国特許出願番号１０／４３１，２５０に記述されており、その内容はここに含まれる。
【００１４】
キャディ１８は、全て本体部４１に取り付けられる、壁取付け機構３６と、レザーアッセンブリホルダ３８と、交換カートリッジ容器ホルダ４０とを有している。壁取付け機構３６は、キャディ１８を一定の位置で表面に取り付ける器具である。ある実施の形態において、壁取付け機構３６は、キャディ１８を、表面に選択的に取り付けると共に、再び取り付けることを可能とする。図１〜図３において、壁取付け機構３６は、１組の吸着カップ４２として示されている。しかしながら、壁取付け機構３６は、吸着カップ４２に限定されるものではない。他の壁取付け機構３６は、接着剤、磁石、フックループファスナーなどを含む。
【００１５】
レザーアッセンブリホルダ３８は、返し４６を有する柱４４を有している。柱４４は、レザーアッセンブリ１２のハンドル２２内の開口部４８内に受け入れられるサイズとされている。柱４４は、レザーアッセンブリ１２を支持し、レザーアッセンブリ１２内に集められ得る液体を排出できる位置に吊り下げることを可能とする。返し４６は、ハンドル２２の開口部４８内の機構５０と結合し、レザーアッセンブリ１２がキャディ１８から意図せずに脱落するのを防止する。レザーアッセンブリホルダ３８は、記述されている柱４４及び返し４６の実施形態に限定されるものではない。レザーアッセンブリホルダ３８は、レザーアッセンブリ１２が挟持されるか、或いは、他の方法で支持され、選択的にキャディ１８に取り付けられる他の形態とすることができる。
【００１６】
交換カートリッジ容器ホルダ４０は、交換カートリッジ容器１６を選択的にキャディ１８に取り付けると共に、再び取り付けることができる容器取付け機構５１を有している。図１〜図３に示す実施の形態において、取付け機構５１は、距離５６だけ互いに離間した第１パネル５２及び第２パネル５４と、概して第１パネル５２の方に向けて第２パネル５４から外側に延在するツメ６０とを有している。交換カートリッジ容器１６は、ツメ６０を受け入れるためのスロット６２を有している。交換カートリッジ容器１６は、第１パネル５２と第２パネル５４との間にフィットする。スロット６２に受け入れられた場合、ツメ６０は、キャディ１８からの容器１６の意図しない脱落を防止するように作用する。好ましい実施の形態において、第１パネル５２及び第２パネル５４は、実質的に平行であって、それぞれ水平面から角度「α」だけ傾けられている。パネル５２、５４の傾斜は、キャディ１８からの容器１６の意図しない脱落を防止するのに役立つ。図６〜図８に示す実施の形態において、取付け機構５１は、第１パネル５２と第２パネル５４との間に配置される吸着カップ６４を有している。吸着カップ６４は、容器１６がパネル５２，５４の間に配置された場合に、容器１６を結合する位置に配置されている。図６〜図８は、吸着カップ６４が、壁取付け機構３６の一部を為す吸着カップ４２に取り付けられた実施の形態を示している。しかしながら、容器取付け機構５１は、上述した実施の形態に限定されるものではない。他の容器取付け機構（例えば、独立した吸着カップ、フック、フックループファスナー、ボタン、並びに、これらの組み合わせ等）を代わりに使用することが可能である。
【００１７】
本発明は、その詳細な実施形態に関連して図示して説明しているが、当業者によって、本発明の精神及び範囲から逸脱することなく、様々な変更を施すことができることが認識される。
【図面の簡単な説明】
【００１８】
【図１】本発明に係るシェービング機器システムの斜視図である。
【図２】ＭＧＩで示されるシェービング機器システムの側面図であって、特定の面を示すために部分的に切断された側面図である。
【図３】シェービング機器システムの容器の斜視図である。
【図４】レザーアッセンブリの側面図であって、カバー取付け手段を示すために切断された側面図である。
【図５】ハンドルの斜視図である。
【図６】本実施の形態に係るシェービング機器システムの側面図であって、特定の免を示すために部分的に切断された側面図である。
【図７】本実施の形態に係るシェービング機器システムの容器の斜視図である。
【図８】壁取付け機構及び容器取付け機構の要素の側面図である。
【図１】
2007527297.tif 000003
【図２】
2007527297.tif 000004
【図３】
2007527297.tif 000005
【図４】
2007527297.tif 000006
【図５】
2007527297.tif 000007
【図６】
2007527297.tif 000008
【図７】
2007527297.tif 000009
【図８】
2007527297.tif 000010
【国際調査報告】
2007527297.tif 000011
2007527297.tif 000012
2007527297.tif 000013